(57)【要約】【課題】人体と同様な柔軟性と屈曲自由性とを有する柔構造の人体模型を提供することにある。  また、作業の省力化と製作コストの大巾軽減をはかった柔構造の人体模型を提供することにある。  また、未熟練者でも迅速、容易かつ正確に製作できる人体模型を提供することにある。  さらに、服飾デザイン用、医療実習用、交通事故等の実験用、美術工芸用、痴呆症治療用等の多岐にわたる用途に使用できる人体模型を提供することにある。【解決手段】人体骨格模型１０を芯材に使用し、前記人体骨格模型１０の一部に硬質乃至軟質の充填物を充填し、前記充填物の表面及び前記人体骨格模型１０の表面に、人体皮膚擬似物２１を積層して成形したもの。【選択図】        図１
2005215409.tif 000002
【特許請求の範囲】
【請求項１】
人体骨格模型を芯材に使用し、前記人体骨格模型の一部に硬質乃至軟質の充填物を充填し、前記充填物の表面及び前記人体骨格模型の表面に、人体皮膚擬似物を積層して成形したことを特徴とする人体模型。
【発明の詳細な説明】
【技術分野】
【０００１】
本発明は、人体と同様な柔軟性と屈曲自由性とを有する柔構造の人体模型に関する。
【背景技術】
【０００２】
人体と同様な柔軟性を有する人体模型は、従来、塩化ビニール樹脂、ウレタン樹脂、ゴム、石膏等からなる硬質乃至軟質の芯体又は金属等によるフレームからなる芯体などに接着等により固着される人工柔軟層が積層されていた。この種の人体模型には、ある程度、屈曲自由性を有する芯体のものも製作されたが、前記芯体は、人体骨格模型と異なり、忠実に人体の骨格が模倣されていないので、人体の動きに追随するような屈曲自由性を有する人体模型を実現することはできなかった。
そこで、本発明者は、屈曲自由性を有する公知の人体骨格模型を芯材とし、この人体骨格模型の一部に、硬質乃至軟質の充填物を充填し、その充填物の表面及び前記人体骨格模型の表面に、人体皮膚擬似物を積層して成形することにより、人体同様の柔軟性と屈曲自由性とを有する柔構造の人体模型を得ることに成功した。
【特許文献１】特開平７−７０８０６号
【発明の開示】
【発明が解決しようとする課題】
【０００３】
本発明は、人体と同様な柔軟性と屈曲自由性とを有する柔構造の人体模型を提供することにある。
また、本発明は、芯材の製作を省略し、作業の省力化と製作コストの大巾軽減をはかった柔構造の人体模型を提供することにある。
また、本発明は、めす型を製作することなく、人体骨格模型に充填物を充填したものと骨格模型そのものに人体皮膚擬似物を積層するだけで成形でき、未熟練者でも迅速、容易かつ正確に製作できる人体模型を提供することにある。
さらに、本発明は、人体骨格模型を芯材に使用して、服飾デザイン用、医療実習用、交通事故等の実験用、美術工芸用、痴呆症治療用等の多岐にわたる用途に使用できる人体模型を提供することにある。
【課題を解決するための手段】
【０００４】
本発明の人体模型は、上記課題を達成するため、図面に示すように、人体骨格模型を芯材に使用し、前記人体骨格模型の一部に硬質乃至軟質の充填物を充填し、前記充填物の表面及び前記人体骨格模型の表面に、人体皮膚擬似物を積層して成形したものである。
本発明において、人体骨格模型は、人体骨格とほぼ同一の合成樹脂製の人体骨格模型を使用することが好ましく、手、肘、肩、腰椎、足、股、膝、頸椎、頭蓋骨、脊椎、脊椎、骨盤等の一部分を使用する場合も含まれる。また、骨格模型の各関節部分は、すべて人体と同様に屈曲できるものが望ましい。
硬質乃至軟質の充填物は、合成樹脂・ゴム物質、繊維物質、でんぷん、粘土等の天然物質など広範囲の公知物質が含まれる。
人体皮膚擬似物には、軟質合成樹脂・ゴム物質、軟質多孔質合成樹脂・ゴム物質等が含まれ、軟質合成樹脂・ゴム物質には、軟質ウレタン樹脂、軟質ＲＴＶシリコーンゴム等があり、軟質多孔質合成樹脂・ゴム物質には、軟質発泡ウレタン樹脂、軟質発泡ＲＴＶシリコーンゴムのほか、特開２００３−２３１７７１、特願２００３−１８１４９１等に示すような軟質多孔質合成樹脂・ゴム物質等が含まれる。
【発明の効果】
【０００５】
本発明の人体模型は、芯材に人体骨格模型を使用するので、人体骨格模型の関節部分が可動すれば、これに伴って積層した人体皮膚擬似物部分も可動し、人体の柔軟性と屈曲自由性と同様な柔構造の人体模型が実現することになる。
また、本発明の人体模型は、人体骨格模型を芯材に使用しているので、芯材製作の手間が省略化でき、製作コストを大巾に軽減できる上、人体骨格模型を芯材にしたため、人体模型のめす型を製作する必要がなく、人体骨格模型に充填したものや人体骨格模型そのものをおす型のようにして軟質物質を積層するだけで、複雑な人体模型を製作でき、未熟練作業者でも人体模型を迅速、容易かつ正確に製作できることになる。
さらに、本発明の人体模型は、人体骨格模型を芯材とした人体と同じ柔構造の人体模型であるので、服飾デザイン用は勿論、医療実習用、交通障害等の実験用、美術工芸用、痴呆症治療用等多岐にわたる用途に使用でき、本発明の実用的価値は極めて大きい。
【発明を実施するための最良の形態】
【０００６】
本発明の人体模型は、人体骨格模型の一部に硬質乃至軟質の充填物を充填したのち、前記充填物の表面及び前記骨格模型の表面に軟質物質の人体皮膚擬似物を積層してゆく。
【実施例１】
【０００７】
本発明の実施例が図１及び図２に示されている。
本発明実施例に使用した人体骨格模型１０は、各関節部を自由に屈曲できるようにした公知のものである。この人体骨格模型１０の肩甲骨１０１、鎖骨１０２、肩峰１０３等からなる背部内と、胸骨１０４、肋骨１０５、浮肋骨１０６、胸椎１０７等からなる胸部内に、紙粘土（図示しない）を充填する。次いで、脊柱１０８、仙骨１０９、腸骨１１０、尾骨１１１、坐骨１１２等からなる腹部、腰部及び臀部に、紙粘土（図示しない）を充填する。大腿骨１１３、頸骨１１４、腓骨１１５等からなる脚部の一部に、紙粘土（図示しない）を充填する。頸椎１１６及び頭骨１１７等からなる頭部及び首部の一部に、紙粘土（図示しない）を充填する。このほか必要箇所に紙粘土（図示しない）を充填する。以上のように、充填物を充填した人体骨格模型１０全体に、軟質ＲＴＶシリコーンゴム等の耐水性の軟質合成樹脂・ゴム物質（図示しない）を充填積層被覆したのち、その上に、皮膚色に調色した軟質ＲＴＶシリコーンゴム、軟質多孔質ＲＴＶシリコーン樹脂、軟質ウレタン樹脂、軟質発泡ウレタン樹脂等を積層して、人体皮膚擬似物２１を形成すると共に、軟質ＲＴＶシリコーンゴム、軟質多孔質ＲＴＶシリコーンゴム等により製作した人工乳房２２、人工耳２３、人工鼻２４等を取りつけ、また、市販の人工眼球２５や人工毛髪２６を取りつけて仕上げ、本発明品の人体模型２０とした。
本発明実施例による人体模型２０は、芯材である人体骨格模型１０の各関節が屈曲するので、これに伴って人体模型２０が人体同様に自由に屈曲する。
また、本発明実施例による人体模型２０は、軟質合成樹脂・ゴム物質や軟質多孔質合成樹脂・ゴム物質等の人体皮膚擬似物２１で積層被覆されているので、人体同様に柔軟な皮膚感触が得られる。
【産業上の利用可能性】
【０００８】
本発明の人体模型は、迅速、容易かつ正確に製作できると共に、安価に量産できる。
【図面の簡単な説明】
【０００９】
【図１】本発明実施例の人体骨格模型の説明図である。
【図２】図１により製作した人体模型の説明図である。
【符号の説明】
【００１０】
１０    人体骨格模型
２０    人体模型
２１    人体皮膚擬似物
【図１】
2005215409.tif 000003
【図２】
2005215409.tif 000004